【手続補正書】
【提出日】令和3年5月25日(2021.5.25)
【手続補正１】
【補正対象書類名】明細書
【補正対象項目名】発明の名称
【補正方法】変更
【補正の内容】
【発明の名称】マウント装置およびアクセサリ
【手続補正２】
【補正対象書類名】明細書
【補正対象項目名】０００１
【補正方法】変更
【補正の内容】
【０００１】
本発明は、他の機器との電気的な接続が可能な端子をマウントに備えた、マウント装置およびアクセサリに関する。
【手続補正３】
【補正対象書類名】明細書
【補正対象項目名】０００７
【補正方法】変更
【補正の内容】
【０００７】
上記目的を達成するために、本発明のマウント装置は、アクセサリに設けられた第１のマウントと結合可能な第２のマウントを有し、前記アクセサリを着脱できるマウント装置であって、第２のマウントの円周方向に沿って配され、前記アクセサリに設けられた対応する端子との電気的な接続に用いる複数の端子と、前記複数の端子を保持する端子保持部と、を有し、前記端子保持部は、前記第２のマウントの中心軸方向に段差を備え、前記複数の端子のうち、第１の電圧レベルおよび前記第１の電圧レベルよりも小さい第２の電圧レベルで通信が可能な第１の端子は、前記第２の電圧レベルで通信を行うことが可能な第２の端子と、前記端子保持部の同じ段に配され、前記第２の端子は、所定の抵抗を介してグランドレベルに電気的に接続される端子であって、前記第１の端子は、前記第２の端子と隣接している、ことを特徴とする。
【手続補正４】
【補正対象書類名】特許請求の範囲
【補正対象項目名】全文
【補正方法】変更
【補正の内容】
【特許請求の範囲】
【請求項１】
アクセサリに設けられた第１のマウントと結合可能な第２のマウントを有し、前記アクセサリを着脱できるマウント装置であって、第２のマウントの円周方向に沿って配され、前記アクセサリに設けられた対応する端子との電気的な接続に用いる複数の端子と、
前記複数の端子を保持する端子保持部と、
を有し、
前記端子保持部は、前記第２のマウントの中心軸方向に段差を備え、
前記複数の端子のうち、第１の電圧レベルおよび前記第１の電圧レベルよりも小さい第２の電圧レベルで通信が可能な第１の端子は、前記第２の電圧レベルで通信を行うことが可能な第２の端子と、前記端子保持部の同じ段に配され、
前記第２の端子は、所定の抵抗を介してグランドレベルに電気的に接続される端子であって、
前記第１の端子は、前記第２の端子と隣接している、ことを特徴とするマウント装置。
【請求項２】
前記複数の端子は、前記マウント装置から前記アクセサリに電源を供給するための第３の端子を有し、
前記第３の端子は、前記端子保持部において、前記第１の端子および前記第２の端子とは異なる段で保持されていることを特徴とする請求項１に記載のマウント装置。
【請求項３】
前記第１の端子は、通信に係る信号の出力タイプを切り替え可能な端子であることを特徴とする請求項２に記載のマウント装置。
【請求項４】
前記第１の端子は、通信に係る信号の出力タイプとして、前記アクセサリが前記マウント装置に装着された後の初期状態において、オープンドレインタイプもしくはオープンコレクタタイプで信号を出力することを特徴とする請求項３に記載のマウント装置。
【請求項５】
前記第２の端子は、第１の抵抗値を示す第１の抵抗を介してグランドレベルに電気的に接続され、
前記第１の端子は、第２の抵抗値を示す第２の抵抗を介して前記第１の電圧レベルを出力する電源に接続されており、
前記第１の抵抗および前記第２の抵抗は、前記第１の端子と前記第２の端子とが電気的に短絡した場合に、前記第２の端子に印加される電圧レベルが、前記第２の端子の定格電圧よりも小さくなるように、前記第１の抵抗値および前記第２の抵抗値が設定されることを特徴とする請求項４に記載のマウント装置。
【請求項６】
前記第３の端子が所定の電源電圧を示した後に、前記複数の端子が示す電圧レベルの変化を検出する検出手段と、
前記検出手段の検出の結果に応じて、前記第１の端子を用いた第１の通信を前記マウント装置と前記アクセサリとの間で実行するように制御する制御手段と、を有し、
前記制御手段は、前記検出手段が前記第１の端子が示す電圧レベルがＬｏｗレベルからＨｉｇｈレベルに切り替わることを検出したことに応じて、前記第１の通信を開始するように制御し、
前記第１の抵抗および前記第２の抵抗は、前記第１の端子と前記第２の端子とが電気的に短絡した場合に、前記第１の端子に印加される電圧レベルが、前記第２の端子の動作用の動作電圧よりも小さく、前記検出手段により前記第１の端子が示す電圧レベルがＬｏｗレベルとなるように、前記第１の抵抗値および前記第２の抵抗値が設定されることを特徴とする請求項５に記載のマウント装置。
【請求項７】
前記マウント装置に前記アクセサリが装着されている際に、
前記第１の抵抗および前記第２の抵抗は、前記マウント装置の前記第２の端子と、前記アクセサリの前記第１の端子に対応する第１のアクセサリ側端子とが電気的に短絡した場合、前記検出手段により前記第２の端子が示す電圧レベルがＨｉｇｈレベルとなるように、前記第１の抵抗値および前記第２の抵抗値が設定されることを特徴とする請求項６に記載のマウント装置。
【請求項８】
前記第１の端子は、前記第３の端子が所定の電源電圧を示した後に、前記検出手段によって前記第２の端子が示す電圧レベルがＨｉｇｈレベルであった場合に、前記初期状態における前記オープンドレインタイプもしくは前記オープンコレクタタイプでの信号の出力を維持することを特徴とする請求項７に記載のマウント装置。
【請求項９】
前記アクセサリは、前記マウント装置に直接装着できない第１の交換レンズを、前記マウント装置に間接的に接続させるためのアダプタであって、
前記第１の抵抗は、前記第２の端子に対応する前記アダプタの端子に接続された第３の抵抗が示す第３の抵抗値と前記第１の抵抗値との比率に基づいて前記第１の抵抗値が設定され、
前記第２の抵抗は、前記第３の抵抗が示す前記第３の抵抗値と前記第２の抵抗値との比率に基づいて前記第２の抵抗値が設定されることを特徴とする請求項５乃至７の何れか一項に記載のマウント装置。
【請求項１０】
前記第１の抵抗は、前記第１の端子に対応する前記アダプタを介して装着できる前記第１の交換レンズ側の端子に接続された第４の抵抗が示す第４の抵抗値と前記第１の抵抗値との比率に基づいて前記第１の抵抗値が設定され、
前記第２の抵抗は、前記第４の抵抗が示す前記第４の抵抗値と前記第２の抵抗値との比率に基づいて前記第２の抵抗値が設定されることを特徴とする請求項９に記載のマウント装置。
【請求項１１】
前記第１の端子は、前記マウント装置から前記アクセサリに通信用のクロック信号を出力するための端子であることを特徴とする請求項２乃至１０の何れか一項に記載のマウント装置。
【請求項１２】
前記複数の端子は、前記第１の電圧レベルよりも小さい第３の電圧レベルで通信を行う、前記第２の端子とは異なる第４の端子を備え、
前記第４の端子は、前記第２の端子を挟んで前記第１の端子の反対側に隣接するように配されていることを特徴とする請求項２乃至１１の何れか一項に記載のマウント装置。
【請求項１３】
前記第４の端子は、前記端子保持部において、前記第１の端子および前記第２の端子と同じ段に保持されていることを特徴とする請求項１２に記載のマウント装置。
【請求項１４】
前記複数の端子は、前記マウント装置から前記アクセサリに対して、前記アクセサリの内部に設けられた部材を駆動するための電源を供給するための第５の端子を有し、
前記第５の端子は、前記端子保持部において、前記第１の端子および前記第２の端子とは異なる段で保持されていることを特徴とする請求項１３に記載のマウント装置。
【請求項１５】
前記複数の端子は、前記第３の端子に対応するグランドレベルを示す第６の端子と、前記第５の端子に対応するグランドレベルを示す第７の端子と、を有し、
前記第６の端子は、前記端子保持部において、前記第１の端子および前記第２の端子と同じ段で保持されており、
前記第７の端子は、前記端子保持部において、前記第１の端子および前記第２の端子とは異なる段で保持されていることを特徴とする請求項１４に記載のマウント装置。
【請求項１６】
前記複数の端子は、前記マウント装置に前記アクセサリが装着されたことを検出するのに用いる第８の端子と、前記マウント装置に装着された前記アクセサリの種類を示すために用いる第９の端子と、前記第１の端子と前記第２の端子とは異なる通信用の第１０の端子と第１１の端子と第１２の端子と、を有し、
前記第８の端子と前記第１０の端子および前記第１１の端子および第１２の端子は、前記端子保持部において、前記第１の端子および前記第２の端子と同じ段で保持されており、
前記第９の端子は、前記端子保持部において、前記第１の端子および前記第２の端子とは異なる段で保持されていることを特徴とする請求項１５に記載のマウント装置。
【請求項１７】
請求項１乃至１６の何れか１項に記載のマウント装置を備えることを特徴する撮像装置。
【請求項１８】
マウント装置に設けられた第１のマウントと結合可能な第２のマウントを有し、前記マウント装置に対して着脱できるアクセサリであって、
前記アクセサリにおいて、前記第２のマウントの円周方向に沿って配され、電気的な接続に用いる複数の端子と、
前記複数の端子を保持する端子保持部と、
を有し、
前記端子保持部は、前記第２のマウントの中心軸方向に段差を備え、
前記複数の端子のうち、第１の電圧レベルおよび前記第１の電圧レベルより小さい第２の電圧レベルで通信を行うことが可能な第１の端子は、前記第２の電圧レベルで通信を行うことが可能な第２の端子と、前記端子保持部の同じ段に配され、前記マウント装置から電源を受ける第３の端子は、前記端子保持部の前記第１の端子および前記第２の端子とは異なる段で保持されており、前記第１の端子は、前記第２の端子と隣接するように配されている、ことを特徴とするアクセサリ。
【請求項１９】
前記第１の端子は、前記マウント装置の前記複数の端子のうちで通信に係る信号の出力タイプを切り替え可能な前記マウント装置の端子に対応する前記アクセサリに設けられた端子であることを特徴とする請求項１８に記載のアクセサリ。
【請求項２０】
前記第１の端子に対応する前記アクセサリに設けられた端子は、通信に係る信号の出力タイプとして、前記アクセサリが前記マウント装置に装着された後の初期状態において、オープンドレインタイプもしくはオープンコレクタタイプで信号を出力する端子であることを特徴とする請求項１９に記載のアクセサリ。
【請求項２１】
前記アクセサリが前記マウント装置に装着されている際に、
前記第２の端子は、第１の抵抗値を示す第１の抵抗を介してグランドレベルに電気的に接続されており、
前記第１の抵抗は、前記第１の端子と前記第２の端子のそれぞれに対応する前記マウント装置の端子同士が電気的に短絡した場合に、前記第２の端子から前記マウント装置側に印加される電圧レベルが、前記第２の端子に対応する前記マウント装置側の端子に接続される素子を動作するための動作電圧よりも小さくなるように、前記第１の抵抗値が設定されることを特徴とする請求項２０に記載のアクセサリ。
【請求項２２】
前記アクセサリは、前記マウント装置に直接装着できない第１の交換レンズを、前記マウント装置に間接的に接続させるためのアダプタであって、
前記第１の抵抗は、前記第２の端子に対応する前記マウント装置側の端子に接続された第２の抵抗が示す第２の抵抗値と前記第１の抵抗値との比率に基づいて前記第１の抵抗値が設定されることを特徴とする請求項２１に記載のアクセサリ。
【請求項２３】
前記第１の抵抗は、前記第１の端子に対応する前記マウント装置側の端子に接続され第３の抵抗が示す第３の抵抗値と前記第１の抵抗値との比率に基づいて前記第１の抵抗値が設定されることを特徴とする請求項２２に記載のアクセサリ。
【請求項２４】
前記第１の抵抗は、前記アクセサリを介して装着できる前記第１の交換レンズ側の前記第１の端子に対応する端子に接続された第４の抵抗が示す第４の抵抗値と前記第１の抵抗値との比率に基づいて前記第１の抵抗値が設定されることを特徴とする請求項２２又は２３に記載のアクセサリ。
【請求項２５】
前記第１の端子は、前記マウント装置から前記アクセサリに通信用のクロック信号を出力するための端子であることを特徴とする請求項１８乃至２４の何れか一項に記載のアクセサリ。
【請求項２６】
前記複数の端子は、前記第１の電圧レベルよりも小さい第３の電圧レベルで通信を行うことができる、前記第２の端子とは異なる第４の端子を備え、前記第４の端子は、前記第２の端子を挟んで前記第１の端子の反対側に隣接するように配されていることを特徴とする請求項１８乃至２５の何れか一項に記載のアクセサリ。
【請求項２７】
前記第４の端子は、前記端子保持部において、前記第１の端子および前記第２の端子と同じ段に保持されていることを特徴とする請求項２６に記載のアクセサリ。
【請求項２８】
前記複数の端子は、前記マウント装置から前記アクセサリに対して、前記アクセサリの内部に設けられた部材を駆動するための電源を供給するための第５の端子を有し、
前記第５の端子は、前記端子保持部において、前記第１の端子および前記第２の端子とは異なる段で保持されていることを特徴とする請求項２７に記載のアクセサリ。
【請求項２９】
前記複数の端子は、前記第３の端子に対応するグランドレベルを示す第６の端子と、前記第５の端子に対応するグランドレベルを示す第７の端子と、を有し、
前記第６の端子は、前記端子保持部において、前記第１の端子および前記第２の端子と同じ段で保持されており、
前記第７の端子は、前記端子保持部において、前記第１の端子および前記第２の端子とは異なる段で保持されていることを特徴とする請求項２８に記載のアクセサリ。
【請求項３０】
前記複数の端子は、前記マウント装置に前記アクセサリが装着されたことを検出するのに用いる第８の端子と、前記マウント装置に装着された前記アクセサリの種類を示すために用いる第９の端子と、前記第１の端子と前記第２の端子および前記第３の端子とは異なる通信用の第１０の端子と第１１の端子と第１２の端子と、を有し、
前記第８の端子と前記第１０の端子および前記第１１の端子および第１２の端子は、前記端子保持部において、前記第１の端子および前記第２の端子と同じ段で保持されており、
前記第９の端子は、前記端子保持部において、前記第１の端子および前記第２の端子とは異なる段で保持されていることを特徴とする請求項２９に記載のアクセサリ。
【請求項３１】
前記アクセサリは、交換レンズであることを特徴とする請求項１８乃至３０の何れか１項に記載のアクセサリ。
【請求項３２】
前記アクセサリは、前記第１のマウントを備えたマウント装置として撮像装置に着脱可能なアダプタ装置であって、前記第２のマウントの中心軸方向において、前記第２のマウントとは反対側に設けられた第３のマウントに、交換レンズが備える第４のマウントを結合できることを特徴とする請求項１８乃至３０の何れか１項に記載のアクセサリ。